(57)【要約】【課題】運転時に発生する騒音を広い周波数帯に亘って低減させる電動送風機および電気掃除機を提案する。【解決手段】電動送風機８は、複数のファン翼３５を有する遠心ファン３６と、遠心ファン３６の周囲に配置された複数の上流整流板３８を有する整流板３９と、遠心ファン３６および整流板３９を覆うとともに遠心ファン３６の回転軸Ｃと同軸に吸気口４２を有するファンカバー３１と、遠心ファン３６を回転駆動させるモータ部４１と、吸気口４２に位置された複数の螺旋翼４５を有する音響遮蔽部４６と、を備える。【選択図】  図２
2011074869.tif 000002
【特許請求の範囲】
【請求項１】
複数の動翼を有する遠心ファンと、
前記遠心ファンの周囲に配置された複数の静翼を有する整流板と、
前記遠心ファンおよび前記整流板を覆うとともに前記遠心ファンの回転軸と同軸に吸気口を有するファンケースと、
前記遠心ファンを回転駆動させるモータ部と、
前記吸気口に位置された複数の螺旋翼を有する音響遮蔽部と、を備えたことを特徴とする電動送風機。
【請求項２】
前記動翼は、前記遠心ファンの回転軸から径方向に向かって渦巻状に形成され、
前記螺旋翼は、前記動翼に向かって前記動翼の渦巻方向と同じ方向に渦巻かれた翼面を有することを特徴とする請求項１に記載の電動送風機。
【請求項３】
前記螺旋翼は、前記遠心ファンの回転軸方向視において前記吸気口の全面を覆うことを特徴とする請求項１または２に記載の電動送風機。
【請求項４】
前記螺旋翼は、その翼弦を前記遠心ファンの回転軸に対して略４５度に傾けて設けられたことを特徴とする請求項１から３のいずれか１項に記載の電動送風機。
【請求項５】
前記螺旋翼の枚数と前記動翼の枚数とは互いに異なることを特徴とする請求項１から４のいずれか１項に記載の電動送風機。
【請求項６】
前記音響遮蔽部は、前記螺旋翼を軸支する保持軸を備えたことを特徴とする請求項１から５のいずれか１項に記載の電動送風機。
【発明の詳細な説明】
【技術分野】
【０００１】
本発明は、電動送風機に関するものである。
【背景技術】
【０００２】
電動送風機として電気掃除機に吸い込み負圧を発生させる電動送風機が知られている。
【０００３】
図８は、従来の電動送風機を示す部分的な断面図である。図８に示すように、従来の電動送風機１０１は、遠心ファン１０２と、遠心ファン１０２を回動させる回転軸１０３を有するモータ部１０４と、遠心ファン１０２から吐出された空気を整流する整流板１０５と、遠心ファン１０２および整流板１０５を覆うファンケース１０６と、を備える。
【０００４】
整流板１０５は、モータ部１０４の回転軸１０３が貫通される孔を有する円板状の整流板本体１０７を備える。整流板本体１０７は、一主面から突出させて平面視渦巻状に形成された壁状の上流整流板１０８と、他主面から突出させて上流整流板１０８の反対方向に平面視渦巻状に形成された壁状の下流整流板１０９と、を備える。整流板１０５は、遠心ファン１０２の外周から吐出された空気を、上流整流板１０８によって整流板本体１０７の外周縁側へと整流し、さらに整流板本体１０７の外周縁を介して下流整流板１０９によってモータ部１０４側へと整流する。この空気の流れの一部は、モータ部１０４を冷却する。
【０００５】
ファンケース１０６は、遠心ファン１０２の回転軸と同軸に配置された吸気口１１１を有する。
【０００６】
ところで、近年、環境問題に対する取り組みとしてエネルギ資源のより一層の有効利用が望まれている。他方、電気掃除機は、より強い吸い込み力が望まれることから、電動送風機の一層の出力および効率の向上が必要となっている。
【０００７】
しかし、電動送風機の出力を向上させれば、駆動音や風切り音が大きくなるため、騒音を低減させる対策が必要となる。
【０００８】
そこで、遠心ファンとともに一体的に回転するインデューサを遠心ファンの吸い込み側に設け、空気の流入抵抗を低減し、吸気口の周辺に発生する乱流による騒音を低減させる電動送風機が知られている（例えば、引用文献１参照）。
【先行技術文献】
【特許文献】
【０００９】
【特許文献１】特開平４−６０１９８号公報
【発明の概要】
【発明が解決しようとする課題】
【００１０】
電動送風機で発生する騒音の主な部分は、遠心ファンを通過する空気流の圧力脈動によって生じる。このため、遠心ファンとともに一体的に回転するインデューサによって吸気口の周辺の空気流を整流しても、遠心ファンを通過する空気流の圧力脈動を効果的に抑制することができず、騒音を十分に低減することができない。
【００１１】
そして、遠心ファンを通過する空気流の圧力脈動によって生じる騒音は、もっぱら吸気口から伝播する。
【００１２】
本発明は、吸気口の空気流を極力妨げることなく、換言すれば、吸込仕事率を極力低減させることなく、吸気口から伝播する騒音を遮ることが可能な電動送風機を提案する。
【課題を解決するための手段】
【００１３】
前記の課題を解決するため本発明に係る電動送風機は、複数の動翼を有する遠心ファンと、前記遠心ファンの周囲に配置された複数の静翼を有する整流板と、前記遠心ファンおよび前記整流板を覆うとともに前記遠心ファンの回転軸と同軸に吸気口を有するファンケースと、前記遠心ファンを回転駆動させるモータ部と、前記吸気口に位置された複数の螺旋翼を有する音響遮蔽部と、を備えたことを特徴とする。
【発明の効果】
【００１４】
本発明によれば、吸込仕事率を極力低減させることなく、吸気口から伝播する騒音を遮ることが可能な電動送風機を提供できる。
【図面の簡単な説明】
【００１５】
【図１】本発明に係る電動送風機を備えた電気掃除機の外観を示した図。
【図２】本発明に係る電動送風機を部分的に切り欠いて示した平面図。
【図３】本発明に係る電動送風機の吸気口周辺を示した斜視図。
【図４】本発明に係る電動送風機の音響遮蔽部を遠心ファンの回転軸方向視において示した図。
【図５】本発明に係る電動送風機の他の例の吸気口周辺を示した斜視図。
【図６】本発明に係る電動送風機の騒音と従来の電動送風機の騒音を比較して示した図。
【図７】本発明に係る電動送風機の騒音と従来の電動送風機の騒音を比較して示した図。
【図８】従来の電動送風機を示す部分的な断面図。
【発明を実施するための形態】
【００１６】
本発明に係る電動送風機の実施形態について図１から図７を参照して説明する。
【００１７】
図１は、本発明に係る電動送風機を備えた電気掃除機の外観を示した図である。
【００１８】
図１に示すように、電気掃除機１は、いわゆるキャニスタ型の電気掃除機である。電気掃除機１は、被掃除面上に配置される掃除機本体２と、掃除機本体２に着脱自在に接続された管部３と、を備える。なお、電気掃除機１は、キャニスタ型に限らず、アプライト型、スティック型、あるいはハンディ型などであってもよい。
【００１９】
掃除機本体２は、本体ケース５と、本体ケース５の側方に回転自在に軸支された車輪６と、本体ケース５に収容された塵埃分離集塵部７と、塵埃分離集塵部７に連通された電動送風機８と、電動送風機８の駆動を制御する制御部９と、電動送風機８に電力を導く電源コード１１と、を備える。
【００２０】
本体ケース５は、塵埃分離集塵部７に連通された接続口１２を有する。
【００２１】
塵埃分離集塵部７は、電動送風機８が発生させた負圧によって電気掃除機１に吸い込まれる塵埃を含んだ空気から塵埃を分離し、捕集する。
【００２２】
車輪６は、掃除機本体２の走行用の大径の走行輪であり、本体ケース５の両側方に一対に軸支される。
【００２３】
制御部９は、予め設定された複数の運転モードを有し、管部３から入力される操作信号に基づいて任意の運転モードを択一的に選択し、電動送風機８を駆動させる。それぞれの運転モードは、電動送風機８の入力を互いに異ならせて設定される。
【００２４】
電源コード１１の自由端部は、電源プラグ１４を備える。
【００２５】
管部３は、掃除機本体２から作用する負圧によって被掃除面から塵埃を含んだ空気（含塵空気）を吸い込み掃除機本体２に案内する。管部３は、掃除機本体２の接続口１２に着脱自在に接続された接続管１９と、接続管１９に連通され可撓性を有する集塵ホース２１と、集塵ホース２１に連通された手元操作管２２と、手元操作管２２から突出させて設けられた把持部２３と、把持部２３に設けられた操作部２４と、手元操作管２２に着脱自在に接続され連通された延長管２５と、延長管２５に着脱自在に接続され連通された吸込口体２６と、を備える。
【００２６】
集塵ホース２１は、湾曲自在な細長略円筒状に形成される。集塵ホース２１の一端は、接続管１９に接続される。集塵ホース２１は、接続管１９を介して掃除機本体２の内部に連通される。
【００２７】
手元操作管２２の一端は、集塵ホース２１の他端に設けられる。手元操作管２２は、接続管１９および集塵ホース２１を介して掃除機本体２の内部に連通される。
【００２８】
把持部２３は、電気掃除機１のユーザが把持して電気掃除機１を操作するものである。把持部２３は、手元操作管２２の他端部から突出させて設けられる。また、把持部２３は、手元操作管２２の一端部に指向させて湾曲されて形成される。
【００２９】
操作部２４は、制御部９に設定されたそれぞれの運転モードに対応させたスイッチを備える。具体的には、操作部２４は、電動送風機８を停止させる停止スイッチ２４ａと、電動送風機８の運転を開始させる起動スイッチ２４ｂと、を備える。電気掃除機１のユーザは、操作部２４を操作して電動送風機８の運転モードを択一的に選択できる。
【００３０】
延長管２５は、複数の筒状体を重ね合わせてテレスコピック構造に構成され、細長略円筒状に形成される。延長管２５の一端は、手元操作管２２の他端に着脱自在に接続される。延長管２５は、接続管１９、手元操作管２２および集塵ホース２１を介して掃除機本体２の内部に連通される。
【００３１】
吸込口体２６は、延長管２５の一端に着脱自在に接続される。吸込口体２６は、延長管２５、手元操作管２２および集塵ホース２１を介して掃除機本体２の内部に連通される。
【００３２】
図２は、本発明に係る電動送風機を部分的に切り欠いて示した平面図である。
【００３３】
図２に示すように、本実施形態に係る電動送風機８は、ファンカバー３１（ファンケース）および本体ケース３２からなる電動送風機ケース３３に覆われる。また、電動送風機８は、複数のファン翼３５（動翼）を有する遠心ファン３６と、遠心ファン３６の周囲に配置された複数の上流整流板３８（静翼）を有する整流板３９と、遠心ファン３６を回転駆動させるモータ部４１と、を備える。
【００３４】
電動送風機ケース３３は、遠心ファン３６および整流板３９を覆うとともに遠心ファン３６の回転軸Ｃと同軸に配置された吸気口４２を有するファンカバー３１と、モータ部４１を覆うとともに排気口４３を有する本体ケース３２と、を備える。
【００３５】
さらに、電動送風機８は、ファンカバー３１の吸気口４２を覆う複数の螺旋翼４５を有する音響遮蔽部４６を備える。
【００３６】
なお、説明を容易にするために以下、図２に示す姿勢を基本姿勢とし、遠心ファン３６の回転軸Ｃの吸気口４２側を前方として電動送風機８の前後の方向説明を行う。図２中、実線矢Ｘは、電動送風機８の後方から前方に向かう。
【００３７】
ファンカバー３１は、後方端に開口４８を有する略有底円筒形状に形成される。ファンカバー３１は、前方に位置された底面の略中央に開口された吸気口４２を有する。吸気口４２は、遠心ファン３６に空気を案内し、遠心ファン３６の回転軸Ｃと同軸の中心を有する円形の開口である。
【００３８】
本体ケース３２は、前方端に開口４９を有する略有底円筒形状に形成される。本体ケース３２の開口端は、円筒部分から拡開され、径方向外側に突出させて形成されたフランジ部５１を備える。フランジ部５１は、ファンカバー３１の開口４８に嵌め込まれる。
【００３９】
また、本体ケース３２は、後方に位置された底面の略中央にモータヘッド部５２を備える。モータヘッド部５２は、後方に突出させて略有底円筒形状に形成される。モータヘッド部５２の内周面にはベアリング５３が保持される。
【００４０】
さらに、本体ケース３２は、側面の後部近傍に開口された排気口４３を有する。
【００４１】
電動送風機８は、本体ケース３２の開口４９に架橋され、開口４９の一部を覆う長手板状の整流板保持体５５を備える。整流板保持体５５は、略中央に軸受保持部５６を備える。軸受保持部５６は、前方に突出させて略有底円筒形状に形成される。軸受保持部５６の内周面にはベアリング５７が保持される。軸受保持部５６は、ベアリング５７に軸支されたロータ軸５８が挿通される貫通口５９を有する。なお、開口４９のうち整流板保持体５５で覆われていない部分は、遠心ファン３６からモータ部４１に空気を案内する連通口（図示省略）として機能する。
【００４２】
遠心ファン３６は、吸気口４２に対向させて配置された吸込口６１を有する上板６２と、上板６２から所定の間隙を離間させて位置された下板６３と、上板６２および下板６３に挟持された複数のファン翼３５と、を備える。遠心ファン３６は、回転駆動時に空気との摩擦によって発生する熱に対する耐熱性や、慣性モーメントなどを考慮して、例えばアルミニウム合金を用いて形成される。
【００４３】
上板６２は、略円板形状に形成される。また、上板６２は、吸込口６１の縁部を吸気口４２に向かって湾曲させて形成される。さらに、上板６２は、吸込口６１の縁部から下板６３側に向けて拡開状に形成される。吸込口６１は、上板６２の中央に位置され、その中心が遠心ファン３６の回転軸Ｃと略同心となる。
【００４４】
下板６３は、上板６２と略同径の略円板形状に形成される。下板６３は、中央にモータ部４１のロータ軸５８が嵌挿される嵌挿孔６５を有する。
【００４５】
ファン翼３５は動翼である。ファン翼３５は、遠心ファン３６の回転軸Ｃの直交方向（径方向）に放射状に配置される。また、ファン翼３５は、短冊状の細長い板の両長辺を下板６３および上板６２にそれぞれ挟持され、渦巻状の壁状に形成される。すなわち、遠心ファン３６は、上板６２と下板６３とファン翼３５とで区画形成された複数の渦巻状の吸気風路６６を有する。
【００４６】
なお、遠心ファン３６は、ファン翼３５が中心から径方向に巻く渦の反対方向に回動される。
【００４７】
モータ部４１は、本体ケース３２の内周に固定された略筒状の固定子６７と、固定子６７の内側に配置された回転子６８と、本体ケース３２の側面から一部突出させて設けられた一対のブラシ機構６９と、を備える。
【００４８】
回転子６８は、遠心ファン３６に接続されたロータ軸５８を備える。ロータ軸５８は、ベアリング５３、５７に軸支され、遠心ファン３６の回転軸Ｃと同軸の回転軸を有する。
【００４９】
一対のブラシ機構６９は、回転子６８の整流子７１を挟み込むよう対向させて本体ケース３２の側面に固定される。ブラシ機構６９は、整流子７１に摺接するカーボンブラシ７２と、カーボンブラシ７２を出没自在に保持するブラシ保持器７３と、を備える。ブラシ保持器７３は、整流子７１にカーボンブラシ７２を押圧させる。これによってカーボンブラシ７２および整流子７１は、互いに電気的に導通される。
【００５０】
整流板３９は、整流板保持体５５に設けられ、遠心ファン３６と整流板保持体５５との間に位置される。整流板３９は、略円板形状の整流板本体７５と、整流板本体７５の遠心ファン３６側の面（前面）に設けられた複数の上流整流板３８と、整流板本体７５のモータ部４１側の面（後面）に設けられた複数の下流整流板７６と、を備える。整流板３９の径方向寸法は、ファンカバー３１の内径よりも小さい。すなわち、整流板３９とファンカバー３１の内面との間は離間される。
【００５１】
整流板本体７５は、遠心ファン３６の径方向寸法よりも大きい直径を有する。整流板本体７５は、中央部に整流板保持体５５の軸受保持部５６が嵌挿された略円形の貫通孔７７を有する。
【００５２】
上流整流板３８は静翼である。上流整流板３８は、遠心ファン３６の外周から若干離間された周縁に配設され、遠心ファン３６の吸気風路６６を臨む。それぞれの上流整流板３８は、整流板本体７５から電動送風機８の前方に向かって略垂直に突出させて形成される。また、それぞれの上流整流板３８は、遠心ファン３６の回転軸Ｃ方向視において渦巻状に、互いに略等間隔に離間させて配置される。
【００５３】
それぞれの上流整流板３８の間には、整流板本体７５の外周に向かって次第に幅広となる案内風路７８が区画される。上流整流板３８の渦巻方向は、遠心ファン３６のファン翼３５の渦巻方向の逆方向に指向される。
【００５４】
下流整流板７６は、整流板本体７５の外周側に配置される。それぞれの下流整流板７６は、整流板本体７５から電動送風機８の後方に向かって略垂直に突出させて形成される。それぞれの下流整流板７６は、遠心ファン３６の回転軸Ｃ方向視において渦巻状に、互いに略等間隔に離間させて配置される。
【００５５】
それぞれの下流整流板７６の間には、流過風路７９が区画される。下流整流板７６の渦巻方向は、上流整流板３８の渦巻方向の逆方向に指向される。
【００５６】
音響遮蔽部４６は、遠心ファン３６の回転駆動によって吸気口４２から吸い込まれる空気を旋回させて遠心ファン３６の吸込口６１に導くとともに、吸込口６１から伝播する音を遮る。具体的には、音響遮蔽部４６は、螺旋翼４５によって吸気口４２から吸い込まれる空気を旋回させるとともに、吸込口６１から伝播する音を遮る。音響遮蔽部４６は、両端が開放された円筒形状の枠体部８１と、枠体部８１に一体に形成された複数の螺旋翼４５と、を備える。
【００５７】
螺旋翼４５は、その翼弦を遠心ファン３６の回転軸Ｃに対し略４５度以上に傾けて設けることが好ましい。
【００５８】
図３は、本発明に係る電動送風機の吸気口周辺を示した斜視図である。なお、図３は、ファンカバー３１および遠心ファン３６の一部を切り欠き、整流板３９を除いて示した図である。
【００５９】
図３に示すように、電動送風機８のファン翼３５は、遠心ファン３６の回転軸Ｃから径方向に向かって渦巻状に形成される。他方、音響遮蔽部４６の螺旋翼４５は、より後方に位置されたファン翼３５に向かって、ファン翼３５の渦巻き方向（図３中、実線矢Ａ）と同じ方向（図３中、実線矢Ｂ）に渦巻かれた翼面を有する。
【００６０】
また、螺旋翼４５の枚数とファン翼３５の枚数とは、互いに異ならせて設定される。例えば、螺旋翼４５は８枚、ファン翼３５は９枚の翼から構成される。
【００６１】
図４は、本発明に係る電動送風機の音響遮蔽部を遠心ファンの回転軸方向視において示した図である。
【００６２】
図４に示すように、電動送風機８の音響遮蔽部４６は、遠心ファン３６の回転軸Ｃ方向視において吸気口４２の全面を覆う。この場合、電動送風機８は、遠心ファン３６の回転軸Ｃ方向視において、その外部から遠心ファン３６を見通すことができない。
【００６３】
それぞれの螺旋翼４５は、遠心ファン３６の回転軸Ｃ方向視において重なり合っても良い。
【００６４】
なお、任意の螺旋翼４５の前縁と、これに隣接された螺旋翼４５の後縁とを遠心ファン３６の回転軸Ｃまわりの同位相に配置させることによって、音響遮蔽部４６を樹脂で一体成型する場合に、成型を容易にできる。
【００６５】
また、音響遮蔽部４６は、遠心ファン３６の回転軸Ｃ方向視において吸気口４２の一部を覆う（すなわち、他部は遠心ファン３６の回転軸Ｃ方向視において電動送風機８の外部から遠心ファン３６を見通すことができる。）ものであっても良い。この場合にも、音響遮蔽部４６は、騒音を遮る効果を奏する。
【００６６】
図５は、本発明に係る電動送風機の他の例の吸気口周辺を示した斜視図である。
【００６７】
図５に示すように、電動送風機８は、ファンカバー３１の吸気口４２を覆う複数の螺旋翼４５を有する音響遮蔽部４６Ａを備える。
【００６８】
音響遮蔽部４６Ａは、螺旋翼４５を電動送風機８に吸い込まれる空気流によって回転する風車状に構成したものである。音響遮蔽部４６Ａは、両端が開放された円筒形状の枠体部８１と、枠体部８１に一体に形成された回転軸支部８２と、回転軸支部８２に軸支された複数の螺旋翼４５と、を備える。
【００６９】
回転軸支部８２は、遠心ファン３６の回転軸Ｃと同軸に螺旋翼４５を軸支する。
【００７０】
なお、音響遮蔽部４６Ａは、螺旋翼４５が回転軸支部８２まわりに回転できる構成を備える他は音響遮蔽部４６と同様に構成されるので、説明を省略する。
【００７１】
次に、本実施形態に係る電動送風機８を備えた電気掃除機１の掃除動作を説明する。
【００７２】
電気掃除機１のユーザは、先ず、掃除機本体２に管部３、すなわち集塵ホース２１と延長管２５と吸込口体２６とを適宜の順序で接続する。
【００７３】
次に、掃除機本体２から電源コード１１を引き出し、商用電源を供給するコンセント（図示省略）に電源プラグ１４を接続する。
【００７４】
次に、電気掃除機１のユーザは、把持部２３を把持して起動スイッチ２４ｂを操作する。
【００７５】
そうすると、制御部９は、起動スイッチ２４ｂから設定された動作モードに従い電動送風機８を駆動させる。電動送風機８の駆動によって掃除機本体２と管部３とに負圧が生じ、電気掃除機１は吸込口体２６から空気を吸い込む。
【００７６】
次いで、電気掃除機１のユーザは、把持部２３を把持したまま手元操作管２２および延長管２５を前後に往復動させる。そうすると、吸込口体２６被掃除面上を前後に往復走行しつつ空気とともに被掃除面の塵埃を吸い込む。
【００７７】
吸込口体２６に吸い込まれた含塵空気は、延長管２５、手元操作管２２および集塵ホース２１と順次に通過した後、掃除機本体２に案内される。
【００７８】
掃除機本体２に案内された含塵空気は、塵埃分離集塵部７に吸い込まれ塵埃と空気とに分離される。分離された塵埃は、塵埃分離集塵部７に捕集される。他方、分離された空気は、さらに電動送風機８に吸い込まれる。
【００７９】
このとき、塵埃を除去された空気は、音響遮蔽部４６、４６Ａの螺旋翼４５によって整流されつつファンカバー３１の吸気口４２から遠心ファン３６の吸込口６１に吸い込まれる。遠心ファン３６の吸込口６１に吸い込まれた空気は、遠心ファン３６の外周側へと案内され、吸気風路６６から吐出される。
【００８０】
遠心ファン３６から吐出された空気は、整流板３９の上流整流板３８に案内されて案内風路７８を渦巻状に通過し整流板本体７５の外周側に吐出される。さらに、案内風路７８から吐出された空気は、ファンカバー３１の内周を介して下流整流板７６の流過風路７９へと案内される。流過風路７９に案内された空気は、整流板３９の中心に向かって渦巻状に流れ、整流板保持体５５に区画された連通口から本体ケース３２内に流入する。
【００８１】
このとき、ファンカバー３１内には空気の流れに伴って圧力脈動が起こり、この空気の圧力脈動が騒音を発生させる。この騒音の一部は空気の流れに抗して吸気口４２へ伝播するが螺旋翼４５によって遮蔽される。
【００８２】
本体ケース３２内に流入した空気はモータ部４１を冷却しつつ流過して本体ケース３２の排気口４３から排気される。電動送風機８の排気口４３から排出された空気は、掃除機本体２の排気口から外部に排気される。
【００８３】
このように構成された電動送風機８は、塵埃が除去された空気を吸気口４２から遠心ファン３６に吸い込むとき、音響遮蔽部４６、４６Ａに空気流を通過させる。この空気流は、音響遮蔽部４６、４６Ａによって整流されるので遠心ファン３６の回転により発生される風切り音を低減できる。また、遠心ファン３６の回転により発生する騒音は、音響遮蔽部４６、４６Ａによって遮られ、吸気口４２から電動送風機８の外部へと伝播し難くなる。
【００８４】
ここで、本実施形態に係る電動送風機８と従来の電動送風機１０１とが発生させる騒音を比較する。
【００８５】
図６および図７は、本発明に係る電動送風機の騒音と従来の電動送風機の騒音を比較して示した図である。
【００８６】
なお、図６および図７は、電動送風機８の吸気口４２および従来の電動送風機の吸気口から略１ｍ離れた場所において観測される騒音である。また、騒音の測定結果にはＡ特性が考慮されている。
【００８７】
図６および図７に示すように、電動送風機８が発生させる騒音（図６中の実線Ａ、図７中の網掛け部分Ａ）は、従来の電動送風機１０１が発生させる騒音（図６中の破線Ｂ、図７中の白抜き部分Ｂ）に比べ、約２５０Ｈｚから約２０ｋＨｚの非常に広い周波数帯域に亘って平均的に騒音の遮蔽の効果が得られる。特に、約２５０Ｈｚから約１ｋＨｚに渡る低周波側の周波数帯域では、騒音の遮蔽の効果が高い。
【００８８】
これは、音響遮蔽部４６、４６Ａが空気の流路内、特に遠心ファン３６の上流近傍である吸気口４２に設けられていることから遠心ファン３６に流入する空気の整流効果が高く、また、音響遮蔽部４６、４６Ａによって吸気口４２の開口方向（回転軸Ｃ方向）に投影される開口面積を小さくできること、等の騒音の遮蔽の効果が重畳的に現れているものと推測される。
【００８９】
本実施形態に係る電動送風機８は、螺旋翼４５を有する音響遮蔽部４６、４６Ａを吸気口４２に備えたことによって、音響遮蔽部４６、４６Ａは遠心ファン３６とともに回転することなく、遠心ファン３６に流れ込む空気を整流して騒音の原因となる流体的な圧力脈動を低減させるとともに、遠心ファン３６から伝播する騒音を螺旋翼４５で遮蔽することで、電動送風機８の外部に伝播する騒音を小さくできる。
【００９０】
また、本実施形態に係る電動送風機８は、吸気口４２の開口方向（回転軸Ｃ方向）に投影される開口面積を塞いで騒音を遮蔽しつつも、吸気口４２の流路断面積をほとんど減少させることなく、さらに遠心ファン３６に対する整流効果を有することができるので、吸込仕事率をほとんど低下させることなく、騒音を大幅に低減できる。
【００９１】
したがって、本発明に係る電動送風機によれば、吸気口４２の空気流を極力妨げることなく、換言すれば、吸込仕事率を極力低減させることなく、吸気口４２から伝播する騒音を遮ることができる。
【符号の説明】
【００９２】
１  電気掃除機
２  掃除機本体
３  管部
５  本体ケース
６  車輪
７  塵埃分離集塵部
８  電動送風機
８  電動送風機
９  制御部
１１  電源コード
１２  接続口
１４  電源プラグ
１５  本体接続口
１９  接続管
２１  集塵ホース
２２  手元操作管
２３  把持部
２４  操作部
２４ａ  停止スイッチ
２４ｂ  起動スイッチ
２５  延長管
２６  吸込口体
３１  ファンカバー
３２  本体ケース
３３  電動送風機ケース
３５  ファン翼
３６  遠心ファン
３８  上流整流板
３９  整流板
４１  モータ部
４２  吸気口
４３  排気口
４５  螺旋翼
４６、４６Ａ  音響遮蔽部
４８  開口
４９  開口
５１  フランジ部
５２  モータヘッド部
５３  ベアリング
５５  整流板保持体
５６  軸受保持部
５７  ベアリング
５８  ロータ軸
５９  貫通口
６１  吸込口
６２  上板
６３  下板
６５  嵌挿孔
６６  吸気風路
６７  固定子
６８  回転子
６９  ブラシ機構
７１  整流子
７２  カーボンブラシ
７３  ブラシ保持器
７５  整流板本体
７６  下流整流板
７７  貫通孔
７８  案内風路
７９  流過風路
８１  枠体部
８２  回転軸支部
１０１  電動送風機
１０２  遠心ファン
１０３  回転軸
１０４  モータ部
１０５  整流板
１０６  ファンケース
１０７  整流板本体
１０８  上流整流板
１０９  下流整流板
１１１  吸気口
【図１】
2011074869.tif 000003
【図２】
2011074869.tif 000004
【図３】
2011074869.tif 000005
【図４】
2011074869.tif 000006
【図５】
2011074869.tif 000007
【図６】
2011074869.tif 000008
【図７】
2011074869.tif 000009
【図８】
2011074869.tif 000010